(57)【要約】  本発明は、テレマティックス端末と移動通信端末間の端末切替サービスを提供する方法及びシステムに関し、本発明によるテレマティックス端末と移動通信端末間の端末切替サービスを提供する方法は、移動通信システムで車輌に装着された前記テレマティックス端末から端末切替要請を受信し、前記移動通信端末に提供する移動通信サービスを前記テレマティックス端末に提供する切替段階と、移動通信システムで車輌に他の搭乗者を感知した前記テレマティックス端末から端末切替復元要請を受信する復元要請受信段階と、移動通信システムで復元要請に応じて端末切替の以前状態に各端末の情報を復元する復元段階と、を含む。
2010527554.tif 000002
【特許請求の範囲】
【請求項１】
テレマティックス端末と移動通信端末間の端末切替サービスを提供する方法であって、
移動通信システムで車輌に装着された前記テレマティックス端末から端末切替要請を受信し、前記移動通信端末に提供する移動通信サービスを前記テレマティックス端末に提供する切替段階と、
移動通信システムで車輌に他の搭乗者を感知した前記テレマティックス端末から端末切替復元要請を受信する復元要請受信段階と、
移動通信システムで復元要請に応じて端末切替の以前状態に各端末の情報を復元する復元段階と、を含むテレマティックス端末と移動通信端末間の端末切替サービス提供方法。
【請求項２】
前記復元要請受信段階は、
車輌に装着された電子制御装置で他人の搭乗を認知して端末切替復元トリガー信号を発生させる段階と、
前記端末切替復元トリガー信号を受信した前記テレマティックス端末から端末切替復元要請を受信する段階と、をさらに含むことを特徴とする請求項１に記載のテレマティックス端末と移動通信端末間の端末切替サービス提供方法。
【請求項３】
前記電子制御装置は、車輌の座席の重さに基づいて他人の搭乗を認知することを特徴とする請求項２に記載のテレマティックス端末と移動通信端末間の端末切替サービス提供方法。
【請求項４】
前記切替段階は、ホーム位置レジスタに前記移動通信端末の位置情報として前記テレマティックス端末の位置情報を代わりに設定して活性化する段階と、
交換機に保存されている前記テレマティックス端末のプロフィール情報を前記移動通信端末のプロフィール情報に変更する段階と、をさらに含むことを特徴とする請求項１ないし請求項３のうちいずれか一項に記載のテレマティックス端末と移動通信端末間の端末切替サービス提供方法。
【請求項５】
移動通信網で移動通信端末から車輌に装着されたテレマティックス端末への端末切替を解除する端末切替サービスシステムであって、
車輌に他の搭乗者を感知した前記テレマティックス端末から端末切替の解除要請を受信する端末切替サービス装置と、
前記端末切替サービス装置の命令に従って、前記移動通信端末に対する情報として設定されたテレマティックス端末の情報を非活性化させ前記移動通信端末の情報を活性化させて復元する第１ホーム位置レジスタと、
前記第１ホーム位置レジスタから前記移動通信端末に対する活性命令を受信して前記移動通信端末の移動通信サービス遮断を解除する第１切替装置と、
前記テレマティックス端末がサービス地域に位置し、前記テレマティックス端末のプロフィール情報として設定されている前記移動通信端末のプロフィール情報を前記テレマティックス端末のプロフィール情報に復元する第２切替装置と、を含むテレマティックス端末と移動通信端末間の端末切替サービス提供システム。
【請求項６】
車輌に設けられ、車輌の運転席以外の他の座席の重さに基づいて他人の搭乗を認知し、それによる端末切替復元トリガー信号を前記テレマティックス端末に伝達する電子制御装置をさらに含むことを特徴とする請求項５に記載のテレマティックス端末と移動通信端末間の端末切替サービス提供システム。
【請求項７】
移動通信端末と端末切替を行うテレマティックス端末であって、
移動通信端末とテレマティックス端末間の端末切替及び端末切替解除を端末切替サーバーに要請する移動通信モジュールと、
運転者以外の他人の搭乗を認知するセンサー部と、
前記センサー部から他人認知信号を受信すれば、前記移動通信モジュールに端末切替の解除命令を伝送する制御部と、を含むテレマティックス端末。
【請求項８】
前記センサー部の他人搭乗認知は、車輌の運転席以外の座席の一定重さを感知することで行われることを特徴とする請求項７に記載のテレマティックス端末。
【発明の詳細な説明】
【技術分野】
【０００１】
本発明は、テレマティックス（Ｔｅｌｅｍａｔｉｃｓ）サービスに関し、より詳しくは、テレマティックス端末と移動通信端末間の端末切替サービスを提供する方法及びシステムに関する。
【背景技術】
【０００２】
近年、車輌の運転者及び搭乗者に目的地までの経路を案内するナビゲーション機能、盗難警報、緊急救助（ＳＯＳ）、遠隔診断、消耗品管理、ハンズフリー携帯電話、生活情報、個人情報、セクレタリーサービス、及びインターネット接続など多様なマルチメディア機能を支援するテレマティックスサービスが提供されている。特に、テレマティックスサービスが具現されるテレマティックス端末には移動通信モジュールが内蔵されており、テレマティックス端末を用いてモバイル通信が行えるだけでなくユーザが持っている外部の携帯電話を連結してハンズフリーで使用することができる。
【０００３】
しかし、移動通信端末の間に互換性がないことと同様に、テレマティックス端末と移動通信端末間にも互換性が全くない。単に、加入者が自分の移動通信端末をテレマティックス端末にケーブルで直接連結して利用できる機能のみを提供するだけで、移動通信端末のプロフィールをテレマティックス端末に自動的に切り替えて使用できる機能は全く提供していない。
【０００４】
すなわち、加入者は車輌に乗れば交通事故を防止するためにハンズフリーで移動電話サービスを使用しなければならないが、従来は移動通信端末とテレマティックス端末をケーブルで連結して使用するしかなかった。しかし、この方法は非常に不便であって、移動電話機能を備えるテレマティックス端末をケーブルを通じて連結するため、テレマティックス端末の本来の機能を活用できない問題点がある。また、移動通信端末をテレマティックス端末と連結すれば、通常外蔵マイク及び外蔵スピーカーを通じて通話することになるため、同乗者がある場合、運転者の通話内容が露出されて運転者のプライバシーが保護できないという問題点がある。
【発明の概要】
【発明が解決しようとする課題】
【０００５】
本発明は、上記問題点を解決するために提案されたものであり、テレマティックス端末と移動通信端末間の端末切替を容易にし、他人が乗車したときに自動的にテレマティックス端末から移動通信端末に切り替えて加入者のプライバシー侵害を防止するサービス方法及びシステム、並びにそのためのテレマティックス端末を提供することをその目的とする。
【０００６】
本発明の他の目的及び長所は後述され、本発明の実施例を通じて分かるであろう。また、本発明の目的及び長所は添付される特許請求の範囲に示された手段及び組合せによって実現することができる。
【課題を解決するための手段】
【０００７】
上記の目的を達成するため、本発明の第１側面によるテレマティックス端末と移動通信端末間の端末切替サービスを提供する方法は、移動通信システムが車輌に装着された前記テレマティックス端末からの端末切替要請を受信し、前記移動通信端末に提供する移動通信サービスを前記テレマティックス端末に提供する切替段階と、移動通信システムが車輌に他の搭乗者を感知した前記テレマティックス端末からの端末切替復元要請を受信する復元要請受信段階と、移動通信システムが復元要請に応じて端末切替の以前状態に各端末の情報を復元する復元段階と、を含むことを特徴とする。
【０００８】
上記の目的を達成するため、本発明の第２側面による移動通信網で移動通信端末から車輌に装着されたテレマティックス端末への端末切替を解除する端末切替サービスシステムは、車輌に他の搭乗者を感知した前記テレマティックス端末から端末切替の解除要請を受信する端末切替サービス装置と、前記端末切替サービス装置の命令に従って、前記移動通信端末に対する情報として設定されたテレマティックス端末の情報を非活性化させ、前記移動通信端末の情報を活性化させて復元する第１ホーム位置レジスタと、前記第１ホーム位置レジスタから前記移動通信端末に対する活性命令を受信して前記移動通信端末の移動通信サービス遮断を解除する第１切替装置と、前記テレマティックス端末がサービス地域に位置し、前記テレマティックス端末のプロフィール情報として設定されている前記移動通信端末のプロフィール情報を前記テレマティックス端末のプロフィール情報に復元する第２切替装置と、を含むことを特徴とする。
【０００９】
上記の目的を達成するため、本発明の第３側面による移動通信端末と端末切替を行うテレマティックス端末は、移動通信端末とテレマティックス端末間の端末切替及び端末切替解除を端末切替サーバーに要請する移動通信モジュールと、運転者の外の他人の搭乗を認知するセンサー部と、前記センサー部から他人認知信号を受信すれば、前記移動通信モジュールに端末切替解除命令を伝送する制御部と、を含むことを特徴とする。
【図面の簡単な説明】
【００１０】
【図１】本発明の一実施例によるテレマティックス端末と移動通信端末間の端末切替サービスを提供するシステムのネットワーク構成を示した図である。
【図２】本発明の一実施例による端末切替サービスシステムにおける端末切替を設定する過程を説明するフロー図である。
【図３】本発明の一実施例によるホーム位置レジスタに保存されるテーブルを示した図である。
【図４】本発明の一実施例によるテレマティックス端末切替を解除する過程を説明するフロー図である。
【図５】本発明の一実施例によるテレマティックス端末の構成を示した図である。
【発明を実施するための形態】
【００１１】
上述した目的及び特徴は添付の図面に基づく以下の詳細な説明を通じてより明らかになり、それによって本発明が属する技術分野で通常の知識を持つ者が本発明の技術的思想を容易に実施できるであろう。また、本発明の説明において、本発明と関連する公知技術についての具体的な説明が本発明の要旨を不必要に不明瞭にし得ると判断される場合はその詳細な説明を省く。以下、添付の図面を参照して本発明による望ましい一実施例を詳しく説明する。
【００１２】
図１は、本発明の一実施例によるテレマティックス端末と移動通信端末間の端末切替サービスを提供するシステムのネットワーク構成を示した図である。
【００１３】
図１に示されたように、本発明による端末切替サービスシステムは移動通信端末１１０、テレマティックス端末１２０、基地局１３０、交換機１４０、移動通信網１５０、ホーム位置レジスタ１６０、及び端末切替サーバー１７０を含む。
【００１４】
加入者が車輌に乗って運転する場合、移動通信端末１１０で移動通信サービスの提供を受ければ事故発生の可能性が高くなるので、加入者は車輌に乗るとき移動通信端末１１０からテレマティックス端末１２０に端末を切り替える。すなわち、加入者は移動通信端末１１０に受信される呼をテレマティックス端末１２０で受信し、テレマティックス端末１２０の外部スピーカー及び外蔵マイクを用いて他の加入者と通話することができる。このような移動通信端末１１０はＰＤＡ、携帯電話、ＰＣＳ電話、ＧＳＭ（登録商標）電話、Ｗ−ＣＤＭＡ電話、ＣＤＭＡ−２０００電話、ＭＢＭＳ電話などを含む。また、テレマティックス端末１２０は従来の一般的なテレマティックスサービスを提供し、特に移動通信モジュールが搭載されて移動通信サービスを提供する。すなわち、テレマティックス端末１２０は移動通信端末１１０と同様に別途の電話番号が割り当てられて加入者に移動通信サービスを提供する。
【００１５】
車輌に乗った加入者は端末切替のためにテレマティックス端末１２０を用いて端末切替サーバー１７０に接続し、端末を切り替えようとする移動通信端末１１０を選択してプロフィール切替（すなわち、端末切替）を要請する。このとき、端末切替サーバー１７０はテレマティックス端末１２０に多数の移動通信端末のリストを提供し、加入者は提供されたリストのうちいずれか１つを選択する。例えば、一台の車輌を所有した家族が端末切替サービスに加入し、テレマティックス端末１２０を端末切替対象として設定して各家族構成員の移動通信端末１１０の情報を保存する。そして、家族構成員のうち１人が車輌に乗って運転する場合、その運転者はテレマティックス端末１２０を用いて端末切替サーバー１７０に接続し、端末切替サーバー１７０から提供される家族構成員の移動通信端末リストのうち自分の移動通信端末を選択して端末切替を要請する。
【００１６】
また、加入者が車輌に乗って始動をかける場合、車輌に搭載された電子制御装置が始動活性化を認知してテレマティックス端末１２０に端末切替活性化トリガー信号を伝送し、テレマティックス端末１２０はこれを認知して端末切替サーバー１７０にプロフィール切替（すなわち、端末切替）を要請することができる。
【００１７】
または、加入者が直接テレマティックス端末１２０に自分の移動通信端末１１０の電話番号を入力し、端末切替サーバー１７０に端末切替を要請することができる。これは本発明の属する技術分野の当業者が設計変更することで多様に適用することができる。
【００１８】
このようにテレマティックス端末１２０が端末切替を要請すれば、移動通信端末１１０は非活性化されテレマティックス端末１２０は活性化されて、加入者は移動通信端末１１０ではなくテレマティックス端末１２０で移動通信サービスを利用することができる。
【００１９】
基地局（ＢＴＳ／ＮｏｄｅＢ）１３０は移動通信端末１１０及びテレマティックス端末１２０と無線区間で連結され、移動通信端末１１０とテレマティックス端末１２０を制御して通話チャネルを連結させて、端末１１０、１２０から発信呼を受信して基地局制御機（ＢＳＣ／ＲＮＣ）（図示せず）に伝送する。基地局制御機は基地局１３０を制御し、移動通信端末１１０及びテレマティックス端末１２０に対する無線チャネルの割当て及び解除、前記端末１１０、１２０及び基地局１３０の送信出力制御、セル間ソフトハンドオフ及びハードハンドオフの決定、トランスコーディング（Ｔｒａｎｓｃｏｄｉｎｇ）及びボコーディング（Ｖｏｃｏｄｉｎｇ）、基地局１３０に対する運営及びメンテナンス機能などを行う。
【００２０】
交換機１４０は、基本及び付加サービス処理、加入者の着信及び発信呼処理、位置登録手続き及びハンドオフ手続き処理、他のネックワーク、すなわち、公衆網やインテリジェントネットワークシステムなどとの連動機能を行う。特に、交換機１４０は端末が切り替えられれば、移動通信端末１１０から発信される呼を遮断し、移動通信端末１１０に着信される音声／映像通話呼、データ呼などをテレマティックス端末１２０に提供する。望ましくは、交換機１４０は端末が切り替えられた移動通信端末１１０の非活性情報を保存管理して移動通信端末１１０のサービスを遮断し、またテレマティックス端末１２０のＩＭＳＩ（Ｉｎｔｅｒｎａｔｉｏｎａｌ Ｍｏｂｉｌｅ Ｓｔａｔｉｏｎ Ｉｄｅｎｔｉｔｙ）に移動通信端末１１０の識別情報（例えば、ＭＳＩＳＤＮ）を対応させて保存し、これを用いて移動通信端末１１０に着信される移動通信サービスをテレマティックス端末１２０に提供する。
【００２１】
一方、交換機１４０は端末が切り替えられた移動通信端末１１０から発信される呼を全て遮断できるが、特定機能のための発信呼は遮断しないこともある。例えば、端末切替をしてテレマティックス端末１２０を使用する途中、端末切替を解除しようとする場合、移動通信端末１１０の呼発信が遮断されて移動通信端末１１０では端末切替が解除できない場合がある。よって、交換機１４０は移動通信端末１１０から端末切替解除のための発信呼が伝送される場合には、該当呼は発信を許容して端末切替が解除されるようにする。望ましくは、交換機１４０は端末切替解除のための機能コード情報を保存管理し、移動通信端末１１０から前記機能コードを含む発信呼が伝送されれば、前記機能コードを参照して該当発信呼の発信を許容する。
【００２２】
移動通信網１５０は交換機１４０、ホーム位置レジスタ１６０、端末切替サーバー１７０と接続され、各網装備の間のインターフェース及びシグナリングを提供する。望ましくは、移動通信網１５０はＮｏ．７ネットワークを含み、各網装備はＮｏ．７ネットワークで連結されて動作する。
【００２３】
ホーム位置レジスタ（ＨＬＲ）１６０は移動通信端末１１０及びテレマティックス端末１２０の加入者情報に関するサービスプロフィールを保存しているデータベースであって、移動通信端末１１０及びテレマティックス端末１２０の識別番号（ＩＭＳＩ、ＭＳＩＳＤＮなど）、付加サービス情報、位置情報、及び本発明による端末切替に必要な情報を保存管理する。
【００２４】
望ましくは、ホーム位置レジスタ１６０は移動通信端末１１０とテレマティックス端末１２０の位置情報を保存管理する。加入者より移動通信端末１１０からテレマティックス端末１２０への切替が要請されたときは、移動通信端末１１０の情報は非活性化させテレマティックス端末１２０の情報は活性化させて、移動通信端末１１０に提供される移動通信サービス（例えば、音声／映像呼、データ呼など）がテレマティックス端末１２０に提供されるようにする。
【００２５】
逆に、加入者から端末切替を解除する要請があったときは、移動通信端末１１０の情報は活性化させテレマティックス端末１２０の情報は非活性化させて、移動通信端末１１０に提供される移動通信サービス（例えば、音声／映像呼、データ呼など）がそのまま移動通信端末１１０に提供されるようにする。
【００２６】
図３は、ホーム位置レジスタ１６０に保存されるテーブルの例を示した図である。図３に示されたように、ホーム位置レジスタ１６０は加入者の端末切替要請に応じて、加入者が使用していた移動通信端末１１０の位置情報を活性化／非活性化させる（すなわち、端末切替フラグを「１」または「０」に設定）。より具体的に、電話番号が「０１０−１１１−ｘｘｘｘ」である移動通信端末１１０を使用する加入者が端末切替を要請した場合、該当加入者の移動通信端末１１０のプロフィール情報を保存しているホーム位置レジスタ１６０は、該当加入者の移動通信端末１１０の位置情報（ＲＮ１）を非活性化させ（端末切替フラグを「０」に設定）、移動通信端末１１０の位置情報にテレマティックス端末１２０の位置情報（ＲＮ２）を設定して活性化させる（端末切替フラグを「１」に設定）。逆に、端末切替が解除されるとき、ホーム位置レジスタ１６０はテレマティックス端末１２０の位置情報（ＲＮ２）は非活性化させ（端末切替フラグを「０」に設定）、移動通信端末１２０の位置情報（ＲＮ１）は活性化させる（端末切替フラグを「１」に設定）。
【００２７】
端末切替サーバー１７０は、加入者の端末切替要請に応じて、加入者の端末を切り替え、それによる情報を保存管理する。望ましくは、端末切替サーバー１７０は加入者から端末切替要請を受信したとき、ホーム位置レジスタ１６０で移動通信端末１１０の情報を非活性化させ、テレマティックス端末１２０の情報を活性化させる。また、端末切替サーバー１７０は加入者からの解除要請を受信したとき、ホーム位置レジスタ１６０で移動通信端末１１０の情報を活性化させ、テレマティックス端末１２０の位置情報を非活性化させる。
【００２８】
図２は、本発明の一実施例による端末切替サービスシステムにおける端末切替を設定する過程を説明するフロー図である。
【００２９】
図２に示されたように、まず、加入者は使用していた移動通信端末１１０からテレマティックス端末１２０に端末を切り替えるため、テレマティックス端末１２０を用いて端末切替サーバー１７０に端末切替を要請する。テレマティックス端末１２０を用いて端末切替サーバー１７０に端末切替を要請するとき、テレマティックス端末１２０は無線区間を経由して交換機１４０に移動通信端末１１０の識別情報（例えば、ＭＳＩＳＤＮ）及びテレマティックス端末１２０のＩＭＳＩを含む端末切替要請信号を伝送する（Ｓ２０１）。すなわち、テレマティックス端末１２０は加入者が入力した移動通信端末１１０の識別情報を含む端末切替要請信号を伝送する。次いで、交換機１４０はテレマティックス端末１２０から伝送された移動通信端末１２０の識別情報及びテレマティックス端末１２０のＩＭＳＩを含む端末切替要請信号を端末切替サーバー１７０に伝送する（Ｓ２０３）。このとき、交換機１４０はホーム位置レジスタ１６０に端末切替要請信号を伝送し、それに対する応答として端末切替サーバー１７０へのルーティング情報を受信した後、端末切替サーバー１７０に前記移動通信端末１１０の識別情報及びテレマティックス端末１２０のＩＭＳＩを含む端末切替要請信号を伝送することが望ましい。
【００３０】
ここで、テレマティックス端末１２０と端末切替サーバー１７０の間では加入者の認証のための過程が行われ得る。すなわち、端末切替サーバー１７０はテレマティックス端末１２０にパスワードを入力するように求め、入力されたパスワードと端末切替サービスの加入者情報とを比べて認証を行う。
【００３１】
このように端末切替要請信号を受信した端末切替サーバー１７０は、該当移動通信端末１１０のＩＭＳＩを端末情報ＤＢで照会する（Ｓ２０５）。すなわち、前記端末切替要請信号に含まれた、移動通信端末１１０の識別情報（例えば、ＭＳＩＳＤＮ）を用いて端末情報ＤＢでその移動通信端末１１０のＩＭＳＩを照会する。
【００３２】
次に、端末切替サーバー１７０は、テレマティックス端末１２０のプロフィール情報を保存しているホーム位置レジスタ１６０（図２のＨＬＲ１）にテレマティックス端末１２０の位置情報（例えば、交換機１４０（図２のＭＳＣ１）の情報）を要請し、それに対する応答を受信する（Ｓ２０７、Ｓ２０９）。すなわち、テレマティックス端末１２０のＩＭＳＩをホーム位置レジスタ１６０（図２のＨＬＲ１）に伝送し、それに対する交換機１４０（ＭＳＣ１）のルーティング情報を受信する。
【００３３】
次いで、端末切替サーバー１７０は、移動通信端末１１０のプロフィール情報を保存しているホーム位置レジスタ１６０（図２のＨＬＲ２）に、テレマティックス端末１２０の位置情報（例えば、交換機１４０（図２のＭＳＣ１）の情報）を含む端末切替命令を伝送する（Ｓ２１１）。
【００３４】
移動通信端末１１０のプロフィール情報を保存しているホーム位置レジスタ１６０（ＨＬＲ２）は、端末切替サーバー１７０からの端末切替命令を受信すると、内部に保存管理している移動通信端末１１０の位置情報は非活性化させ、前記端末切替命令に含まれたテレマティックス端末１２０の位置情報を設定して活性化させる（Ｓ２１３）。すなわち、移動通信端末１１０のプロフィール情報を保存しているホーム位置レジスタ１６０（ＨＬＲ２）内に、移動通信端末１１０の位置情報として実際の移動通信端末１１０の位置情報ではなくテレマティックス端末１２０の位置情報を設定することで、移動通信端末１１０に着信されるサービス信号がテレマティックス端末１２０に伝送できるようにする。
【００３５】
次に、移動通信端末１１０のプロフィール情報を保存しているホーム位置レジスタ１６０（ＨＬＲ２）は、テレマティックス端末１２０が存在している交換機１４０（ＭＳＣ１）に移動通信端末１１０のプロフィール情報を伝送する（Ｓ２１５）。テレマティックス端末１２０が存在している交換機１４０（ＭＳＣ１）は、移動通信端末１１０のプロフィール情報を受信すると、テレマティックス端末１２０のプロフィール情報を受信した移動通信端末１１０のプロフィール情報に変更する（Ｓ２１７）。すなわち、テレマティックス端末１２０が存在している交換機１４０（ＭＳＣ１）は、テレマティックス端末１２０のＩＭＳＩに移動通信端末１１０の識別情報（例えば、ＭＳＩＳＤＮ）をマッピングして保存管理する。望ましくは、テレマティックス端末１２０の情報は訪問位置レジスタ（ＶＬＲ）に保存管理される。
【００３６】
移動通信端末１１０に着信される呼は、移動通信端末１１０のプロフィール情報を保存しているホーム位置レジスタ１６０（ＨＬＲ２）によってテレマティックス端末１２０が存在している交換機１４０（ＭＳＣ１）に伝達される。交換機１４０（ＭＳＣ１）は伝達された呼の着信者情報（例えば、移動通信端末１１０のＭＳＩＳＤＮ）を用いて前記マッピング情報でテレマティックス端末１２０のＩＭＳＩを検索し、検索されたＩＭＳＩを用いてテレマティックス端末１２０を見つけて前記移動通信端末１１０に伝達されなければならない着信呼を前記テレマティックス端末１２０に伝達する。このようにして、加入者は移動通信端末１１０ではなくテレマティックス端末１２０を用いて、前記移動通信端末１１０に着信されるサービスの提供を受けることができる。
【００３７】
一方、移動通信端末１１０のプロフィール情報を保存しているホーム位置レジスタ１６０（ＨＬＲ２）は、移動通信端末１１０が存在している交換機１４０（図２のＭＳＣ２）に移動通信端末１１０の非活性化命令を伝送する（Ｓ２１９）。これにより、交換機１４０（ＭＳＣ２）は移動通信端末１１０に着信されるサービスを遮断し、また移動通信端末１１０から発信される呼を遮断して、移動通信端末１１０ではサービスが利用できないようにする。
【００３８】
上記のように、本発明による端末切替方法によれば、加入者は移動通信端末１１０の代わりにテレマティックス端末１２０を通じて前記移動通信端末１１０に提供されるサービスの提供を受けることができる。したがって、加入者が車輌に乗ったとき、移動通信端末１１０の移動通信サービスをテレマティックス端末１２０で受信するようにして安全運行を可能にする。
【００３９】
図４は、本発明の一実施例によるテレマティックス端末切替を解除する過程を説明するフロー図である。
【００４０】
図４に示されたように、まず、車輌に装着された電子制御装置は車輌の運転中の停止、エンジン故障、エンジン停止などのように加入者が運転状態でなければ、それを感知してテレマティックス端末１２０に端末切替の解除を要請することができる（Ｓ４０１）。すなわち、加入者が運転状態ではない場合、テレマティックス端末１２０への切替を解除して移動通信端末１１０を再び使用することができる。また、加入者のプライバシー保護、すなわち、通話内容を他の搭乗者に聞かれることを防止するため、電子制御装置は他の搭乗者がいる場合はそれを感知し、テレマティックス端末１２０への端末切替の解除を要請することができる。すなわち、電子制御装置は車輌の運転席以外の他の座席で一定の重さを感知すれば、テレマティックス端末１２０に端末切替の解除を要請することができる。また、搭乗者感知はテレマティックス端末１２０のＲＦＩＤ（Ｒａｄｉｏ Ｆｒｅｑｕｅｎｃｙ Ｉｄｅｎｔｉｆｉｃａｔｉｏｎ）を用いた端末機近接判読で行われ得る。すなわち、端末切替されたテレマティックス端末１２０が運転者の移動通信端末１１０以外に他の搭乗者の移動通信端末の信号（すなわち、ＲＦＩＤ）を感知したら、テレマティックス端末１２０は端末切替サーバー１７０に端末切替の解除を要請することができる。
【００４１】
このような加入者車輌の特定状態に応じた端末切替の復元は加入者の設定によって行われることが望ましい。すなわち、テレマティックス端末１２０の設定を通じて、加入者が運転中の停止状態における移動通信端末１１０への切替復元を未設定にすることで、テレマティックス端末１２０で移動通信サービスを引き続いて利用することができる。
【００４２】
電子制御装置から端末切替の解除要請を受信したテレマティックス端末１２０は、端末切替サーバー１７０に端末切替の解除を要請する。テレマティックス端末１２０は端末切替サーバー１７０に端末切替の解除を要請するとき、無線区間を経由して交換機１４０（図４のＭＳＣ１）にテレマティックス端末１２０のＩＭＳＩ及び識別情報（例えば、ＭＳＩＳＤＮ）を含む端末切替の解除要請信号を伝送する（Ｓ４０３）。次いで、交換機１４０はテレマティックス端末１２０から伝送された端末切替の解除要請信号を端末切替サーバー１７０に伝送する（Ｓ４０５）。このとき、交換機１４０は、ホーム位置レジスタ１６０に端末切替の解除要請信号を伝送し、それに対する応答として端末切替サーバー１７０へのルーティング情報を受信した後、端末切替サーバー１７０に端末切替の解除要請信号を伝送することが望ましい。
【００４３】
端末切替の解除要請を受信した端末切替サーバー１７０は、テレマティックス端末１２０及び加入者の認証を行うことができる。すなわち、端末切替サーバー１７０はテレマティックス端末１２０にパスワードの入力を求め、入力されたパスワードと端末切替サービスの加入者情報とを比べて認証を行った後、端末切替の復元を行うことができる。
【００４４】
次に、端末切替サーバー１７０は、テレマティックス端末１２０のプロフィール情報を保存しているホーム位置レジスタ１６０（図４のＨＬＲ１）に端末切替の解除要請信号を伝送する（Ｓ４０７）。すると、テレマティックス端末１２０のプロフィール情報を保存しているホーム位置レジスタ１６０（ＨＬＲ１）は、テレマティックス端末１２０が存在している交換機１４０（ＭＳＣ１）にテレマティックス端末１２０のプロフィール情報を伝送する（Ｓ４０９）。
【００４５】
テレマティックス端末１２０のプロフィール情報を受信したテレマティックス端末１２０が存在している交換機１４０（ＭＳＣ１）は、受信したテレマティックス端末１２０のプロフィール情報を用いて内部に保存されたテレマティックス端末１２０のプロフィール情報を復元する（Ｓ４１１）。すなわち、テレマティックス端末１２０が存在している交換機１４０（ＭＳＣ１）は、端末切替されたテレマティックス端末１２０のプロフィール情報においてテレマティックス端末１２０のＩＭＳＩに移動通信端末１１０の識別情報（例えば、ＭＳＩＳＤＮ）をマッピングして保存管理する。しかし、加入者の端末切替解除によって、交換機１４０（ＭＳＣ１）はテレマティックス端末１２０のＩＭＳＩにマッピングされた端末識別情報を移動通信端末１１０の識別情報からテレマティックス端末１２０の識別情報に復元する。
【００４６】
一方、端末切替サーバー１７０は、移動通信端末１１０のプロフィール情報を保存しているホーム位置レジスタ１６０（ＨＬＲ２）に端末切替の解除要請信号を伝送する（Ｓ４１３）。すなわち、端末切替サーバー１７０は、内部に保存管理している端末切替サービスの加入者情報及び前記テレマティックス端末１２０の情報を用いて、加入者の移動通信端末１１０の情報を抽出し、その抽出した情報に基づいて移動通信端末１１０のプロフィール情報を保存しているホーム位置レジスタ１６０（ＨＬＲ２）に端末切替の解除要請信号を伝送する。
【００４７】
このように、移動通信端末１１０のプロフィール情報を保存しているホーム位置レジスタ１６０（ＨＬＲ２）は、端末切替サーバー１７０から端末切替の解除要請信号を受信すると、内部に保存管理している移動通信端末１１０の位置情報は活性化させ、テレマティックス端末１２０の位置情報は非活性化させる（Ｓ４１５）。すなわち、移動通信端末１１０のプロフィール情報を保存しているホーム位置レジスタ１６０（ＨＬＲ２）内には、移動通信端末１１０の位置情報として実際の移動通信端末１１０の位置情報ではなくテレマティックス端末１２０の位置情報が設定されていたが、それを再び実際の移動通信端末１１０の位置情報に復元する。よって、移動通信端末１１０に着信されるサービス信号が通常通り移動通信端末１１０に伝送できるようにする。
【００４８】
一方、移動通信端末１１０のプロフィール情報を保存しているホーム位置レジスタ１６０（ＨＬＲ２）は、移動通信端末１１０が位置している交換機１４０（図４のＭＳＣ２）に移動通信端末１１０に対する活性化命令を伝送する（Ｓ４１７）。これにより、交換機１４０（ＭＳＣ２）は移動通信端末１１０に着信されるサービスをそのまま移動通信端末１１０に伝送し、また移動通信端末１１０から発信される呼を許容して本来のサービスを提供する。
【００４９】
このようにエンジン故障、車輌停止、他人の搭乗などで特定状況になれば、電子制御装置がそれを感知してテレマティックス端末１２０に端末切替復元トリガー信号を伝送し、自動的に移動通信端末１１０に復元されることができる。
【００５０】
一方、加入者は移動通信端末１１０で別の機能コードとテレマティックス端末１２０の電話番号を入力し、端末切替サーバー１７０に端末切替の解除を要請することができる。例えば、加入者が「＊＊端末切替解除サービス特番＋テレマティックス端末１２０の電話番号＋通話（または接続）」を入力して端末切替サーバー１７０に端末切替を要請することができる。すなわち、加入者がテレマティックス端末１２０に端末が切り替えられた状態で端末を復元せずに車輌から降りた場合、テレマティックス端末１２０の代わりに移動通信端末１１０を用いて端末切替の解除を端末切替サーバー１７０に要請することができる。
【００５１】
上述した実施例において、テレマティックス端末１２０は音声／映像通話路を通じて端末切替の設定及び解除要請を伝送し、これによって交換機１４０に端末切替の設定及び解除要請信号が伝送される。また、交換機１４０に移動通信端末１１０の活性化または非活性化情報が設定され、移動通信端末１１０に着信される回線交換信号を許容または遮断する。また、交換機１４０にテレマティックス端末１２０のプロフィール情報として前記移動通信端末１１０のプロフィール情報が保存され、交換機１４０は移動通信端末１１０に伝送される回線交換信号をテレマティックス端末１２０に伝送する。しかし、本発明はこれに制限されることなく、パケット交換信号に対しても同様に適用され得る。すなわち、テレマティックス端末１２０はパケット交換網を通じて端末切替を設定するか解除することができる。この場合、端末切替の設定及び解除要請信号は、パケットサービスを提供するパケット交換サポートノード（ＳＧＳＮ：Ｓｅｒｖｉｎｇ ＧＰＲＳ Ｓｕｐｐｏｒｔ Ｎｏｄｅ）に伝送されて端末切替サーバー１７０に伝送され、前記パケット交換サポートノード（ＳＧＳＮ）には前記交換機１４０と同様の方法で移動通信端末１１０の活性化または非活性化情報が設定され、テレマティックス端末１２０のプロフィール情報が設定されることができる。これにより、移動通信端末１１０に提供されるパケットサービスは遮断または許容され、移動通信端末１１０に提供されるパケットサービスはテレマティックス端末１２０に提供される。
【００５２】
図５は、本発明の一実施例によるテレマティックス端末の構成を示した図である。
【００５３】
図５を参照すれば、ＧＰＳ部５０１はＧＰＳ衛星と持続的に通信し、受信したＧＰＳ信号をテレマティックスモジュール５０３に伝送する。すると、テレマティックスモジュール５０３はＧＰＳ信号に基づいて現時点の車輌の位置情報を確認し、車輌の移動方向と移動速度を計算して車輌の移動による位置情報を制御部５０７に伝送する。
【００５４】
移動通信モジュール５０５は一般的な移動通信端末１１０の通信機能を提供する。特に、移動通信モジュール５０５は端末切替要請部５０５ａ及び端末切替解除要請部５０５ｂを含み、テレマティックス端末１２０と移動通信端末１１０間の端末切替と端末切替解除を行う。すなわち、移動通信モジュール５０５は制御部５０７から受信される信号に応じて、端末切替サーバー１７０に端末切替または端末切替解除を要請する。
【００５５】
制御部５０７は、テレマティックスモジュール５０３から車輌の位置を受信し、それに対応する地図情報をメモリ５０９から抽出して、前記地図と車輌の位置情報を表示部５１１に表示する。そして、制御部５０７はキー入力部５１３から加入者が入力したキー情報を受信してそれを処理する。また、制御部５０７はキー入力部５１３から端末切替（または端末切替解除）命令を示す特定キー情報を受信し、端末切替（または端末切替解除）信号を移動通信モジュール５０５に伝送する。
【００５６】
さらに、制御部５０７はセンサー部５１５から端末切替解除信号または端末切替信号を受信し、それを移動通信モジュール５０５に伝送する。すなわち、制御部５０７はセンサー部５１５から始動活性化信号を受信すれば、移動通信モジュール５０５に端末切替信号を伝送する。また、制御部５０７はセンサー部５１５から車輌の運転中停止、エンジン故障、エンジン停止、及び他人の搭乗の感知信号を受信すれば、移動通信モジュール５０５に端末切替解除信号を伝送する。
【００５７】
メモリ５０９はＥＥＰＲＯＭ（Ｅｌｅｃｔｒｉｃａｌｌｙ Ｅｒａｓａｂｌｅ ａｎｄ Ｐｒｏｇｒａｍｍａｂｌｅ ｒｅａｄ ｏｎｌｙ ｍｅｍｏｒｙ）、フラッシュメモリー（Ｆｌａｓｈ Ｍｅｍｏｒｙ）などを含み、地図情報、車輌の位置、加入者が保有した移動通信端末１１０のＲＦＩＤ（Ｒａｄｉｏ Ｆｒｅｑｕｅｎｃｙ Ｉｄｅｎｔｉｆｉｃａｔｉｏｎ）、電話帳など各種情報を保存する。
【００５８】
表示部５１１は、通常ＬＣＤを備えて制御部５０７の制御に従って各種情報をディスプレイする。キー入力部５１３は数字キー、通話キー、メニューキーなどの各種キーを含み、加入者が入力するキー情報を制御部５０７に伝達する。キー入力部５１３はタッチパッドで具現されて表示部５１１に含まれ得る。
【００５９】
センサー部５１５は車輌に搭載された電子制御装置と連結され、車輌の状態をチェックする。センサー部５１５は車輌の始動活性化信号、車輌の運転中停止、エンジン故障、エンジン停止など車輌の全般的な信号を感知して制御部５０７に伝送する。また、センサー部５１５は運転席以外の他の座席で一定の重さが感知されれば、それを制御部５０７に伝送する。さらに、センサー部５１５は運転者所有の移動通信端末１１０以外の他の移動通信端末を感知すれば、その感知信号を制御部５０７に伝送することができる。このような搭乗者感知はＲＦＩＤを用いた端末機近接判読で行われる。
【００６０】
送受話部５１７は制御部５０７から復号されたＰＣＭ信号を受信し、それをアナログ信号に変換して加入者が聞き取れるようにする。また、送受話部５１７は加入者からアナログ音声信号の入力を受けて制御部５０７に伝送する。このような送受話部５１７は車輌の外蔵スピーカー及び外蔵マイクと連結され得る。
【００６１】
上述したような本発明の方法は、プログラムとして具現されてコンピューター可読の形態で記録媒体（ＣＤ−ＲＯＭ、ＲＡＭ、ＲＯＭ、フロッピー（登録商標）ディスク、ハードディスク、光磁気ディスクなど）に保存され得る。このような過程は本発明が属する技術分野で通常の知識を持つ者であれば容易に実施できるので、詳しい説明は省く。
【００６２】
上述した本発明は、本発明が属する技術分野で通常の知識を持つ者であれば本発明の技術的思想を逸脱しない範囲内で様々な置換、変形及び変更が可能であるので、上述した実施例及び添付する図面によって限定されるものではない。
【産業上の利用可能性】
【００６３】
本発明は、テレマティックス端末と移動通信端末間の端末切替を容易にし、他人の乗車によって自動的にテレマティックス端末から移動通信端末に切り替えて加入者の通話内容が他人に聞かれることを防止することで、加入者のプライバシーを保護できる長所がある。
【図１】
2010527554.tif 000003
【図２】
2010527554.tif 000004
【図３】
2010527554.tif 000005
【図４】
2010527554.tif 000006
【図５】
2010527554.tif 000007
【国際調査報告】
2010527554.tif 000008
2010527554.tif 000009